(57)【特許請求の範囲】
【請求項１】
ローラ台（１）およびローラモジュールを含む取り外し可能なローラ装置であって、ローラモジュールは、接続装置（２）によって、ローラ台（１）に、取り外し可能に接続され、
水平部分を有するローラ台（１）が、水平部分を垂直方向に貫通する貫通孔（１−１）を有し、ローラ台（１）は、前記貫通孔の上方または下方に、前記貫通孔に対して水平方向に広がる空間である誘導部を有し、接続装置（２）のボタンボード（２−１０）が該誘導部内に水平方向に移動可能に配置され、
該ボタンボード（２−１０）が、前記誘導部から水平方向に前記ローラ台の側面へと延びるボタン貫通孔（１−３）を通り、外部から作用することができるボタンアーム（２−３）を有し、ボタンアーム（２−３）を操作することにより、ボタンボード（２−１０）を誘導部内で水平方向に移動させ、
ローラモジュールが、ローラフレーム、およびローラフレームにおいてローラ軸の周りを回転できるように支持されるローラ（３）を有し、ローラフレームの上部に凸台（２−５）および凸台（２−５）から突き出し、貫通孔（１−１）に垂直方向に挿入される軸（２−８）が設置され、該軸には、上端留め部（２−９）と中間留め部（２−７）が上下に間隔を開けて設けられ、
前記ローラ（３）が、前記ローラ台（１）に取り付けた状態のとき、ローラモジュールの凸台（２−５）がローラ台（１）の底部と密着し、上端留め部（２−９）または中間留め部（２−７）が、前記貫通孔（１−１）に嵌入されて前記軸（２−８）は回転しないように固定され、前記軸（２−８）の、上端留め部（２−９）と中間留め部（２−７）との間の部分が前記誘導部に位置しており、ボタンボード（２−１０）が、ばねによって前記上端留め部（２−９）と前記中間留め部（２−７）との間へと挿入され、前記ボタンボード（２−１０）によって前記上端留め部（２−９）が下方への移動が阻止されることによって、前記ローラ（３）は前記ローラ台（１）に固定され、
前記ローラ（３）を、前記ローラ台（１）から取り外すときは、前記ボタンアーム（２−３）を操作してボタンボード（２−１０）をばねの力に反して水平方向に移動させて、前記上端留め部（２−９）と前記中間留め部（２−７）との間から出されることにより、前記ボタンボード（２−１０）を前記上端留め部（２−９）の前記軸を下方に移動可能とすることを特徴とする、ローラ装置。
【請求項２】
前記取り外し可能なローラ装置が、取り外し可能な全方向ローラ装置を構成し、そのうちローラフレームが、前記軸の周りを自由に回転することができることを特徴とする、請求項１に記載の取り外し可能なローラ装置。
【請求項３】
前記上端留め部（２−９）と前記中間留め部（２−７）の上下の間隔が、ボタンボード（２−１０）の厚さと同じであることを特徴とする、請求項１または２に記載の取り外し可能なローラ装置。
【請求項４】
軸（２−８）に、周囲を取り囲む溝が構成され、該溝の上下２つの溝壁がそれぞれ上端留め部（２−９）および中間留め部（２−７）を構成し、さらにボタンボード（２−１０）が、溝の形状と適合する弧状溝（２−１）を有することを特徴とする、請求項３に記載の取り外し可能なローラ装置。
【請求項５】
ローラ台（１）が、その底部に凹部を有し、ローラモジュールの凸台（２−５）および該凹部が互いに補い合う形状を有し、さらに取付状態のとき、相互に密着することを特徴とする、請求項１から４のいずれか１項に記載の取り外し可能なローラ装置。
【請求項６】
ローラモジュールの凸台（２−５）およびローラ台（１）の凹部が、平面型の接着表面を有し、さらに非円形の輪郭を有することを特徴とする、請求項５に記載の取り外し可能なローラ装置。
【請求項７】
バネ（２−２）が誘導部内に水平方向に配置され、バネの一端がボタンボード（２−１０）の突起に固定され、該バネのもう一端が、ローラ台（１）上の突起またはくぼみを構成するバネ固定装置（１−２）に固定されることを特徴とする、請求項１から６のいずれか１項に記載の取り外し可能なローラ装置。
【請求項８】
ボタン貫通孔（１−３）に、ボタン外部部品（１−４）が設けられ、ボタン外部部品（１−４）がボタンアーム（２−３）と接続される構造、または一体成形される構造を有し、ボタン外部部品（１−４）を操作することにより、ボタンボード（２−１０）を誘導部内を水平方向に移動させることができることを特徴とする、請求項１から７のいずれか１項に記載の取り外し可能なローラ装置。
【請求項９】
ローラ台（１）の上表面に取り外し可能な、ネジ接続された外郭カバー（１−６）を有し、ローラ台の誘導部内の部品を覆うのに使用されることを特徴とする、請求項１から８のいずれか１項に記載の取り外し可能なローラ装置。
【請求項１０】
ローラ台（１）およびスーツケースが取り外し可能に接続され、ネジ接続されることを特徴とする、請求項１から９のいずれか１項に記載の取り外し可能なローラ装置。
【請求項１１】
請求項１から１０のいずれか１項に記載の、取り外し可能なローラ装置を有する可動式スーツケースであって、そのうちローラ台（１）がスーツケースに取り付けられ、スーツケースにネジ接続されることを特徴とするスーツケース。
【請求項１２】
スーツケース底部の両側に、取り外し可能なローラ装置がそれぞれ設置されることを特徴とする、請求項１１に記載の可動式スーツケース。
【発明の詳細な説明】
【技術分野】
【０００１】
本発明は、取り外し可能なローラ装置、およびその取り外し可能なローラ装置を有する可動式スーツケースに関する。
【背景技術】
【０００２】
現在、人々の生活はしだいに豊かになり、仕事、スポーツ、レジャーなどの活動において、スーツケース、特に全方向キャスタがついた可動式スーツケースがたびたび使用されている。一方で、仕事または旅行が終わると、スーツケースをしっかりと置く必要があるが、ローラを有するスーツケースは容易に固定できない。外に出て、体を鍛えたり、ゴルフ、水泳などのスポーツをしたりするとき、持つ荷物は多くも、少なくもない。しかし、手で提げるのではなく、ローラを有するかばんを持つと、気軽に出かけることができる。既存の全方向キャスタがついた可動式スーツケースは、全方向キャスタがスーツケース本体に固定されており、どれだけ回転させても取り外すことはできず、使用するときの適応性が悪い。そのほかローラは、スーツケースで摩耗が最も早い部品のひとつである。スーツケースは良いが、ローラが摩耗して正常に使用することができないとき、自分で気軽に新しいローラに換えたくても、ローラを取り外すことができないと不便である。
【０００３】
ほかに、差し込み式の取り外し可能なローラ装置が、すでに知られている。この種のローラ装置では、差し込み接続構造を非常に堅固に設計し、ローラが外部からの負荷によって抜け落ちてしまうのを防止する必要がある。この差し込み接続構造は、通常、工具を使用したり、非常に大きな力を使用したりすることで、分解することができる。さらに、この種の差し込み接続構造の堅固性は、抜く操作の回数の増加に伴って低下する。
【発明の概要】
【発明が解決しようとする課題】
【０００４】
本発明の目的は、取り外し可能なローラ装置、およびその取り外し可能なローラ装置を有する可動式スーツケースを提供することである。取り外し可能なローラ装置は、ローラが抜け落ちてしまうのを長期に渡って防止することができるだけでなく、簡単な取り付けおよび取り外しを可能にする。
【課題を解決するための手段】
【０００５】
上述した目的は、本発明に基づいて以下のように解決された。取り外し可能なローラ装置は、ローラ台およびローラモジュールを含み、ローラモジュールおよびローラ台は取り外し可能に接続される。ローラ台は貫通孔を有する。ローラ台の上側に貫通孔に対して横向きになった、特に貫通孔に対して垂直な誘導部を有する。バネに予負荷を加えたボタンボードは誘導部において誘導される。ボタンボードはローラ台のボタン貫通孔を通り、外部から作用することができるボタンアームを有する。ボタンアームを操作することにより、ボタンボードを誘導部に沿って移動させる。ローラモジュールはローラフレーム、およびローラフレームにおいてローラ軸の周りを回転できるように支持されるローラを有する。ローラフレームの上部に凸台、および凸台から突き出し、貫通孔に挿入するのに使用される軸が設置され、この軸に上端留め部が設けられる。取付状態のとき、ローラモジュールの凸台は、ローラ台の底部と密着する。さらに軸の挿入方向に沿って見ると、ボタンボードは、ローラモジュールの上端留め部の後部に、バネに予負荷を加えて嵌入される。さらに、ボタンボードはバネの予負荷の解放および上端留め部の作用を克服することができる。
【０００６】
本発明の取り外し可能なローラ装置では、片手でボタンアームを動かし、もう片方の手でローラモジュールを挿入する。その後ボタンアームを放すと、ローラモジュールを容易に取り付けることができる。取付状態のとき、バネに予負荷を加えたボタンボードおよび上端留め部の相互作用と、凸台およびローラ台底部の密着により、ローラモジュールおよびローラ台の間の長期にわたる堅固な接続を実現し、ローラモジュールが抜け落ちてしまうのを防止する。ローラモジュールを取り外す必要があるとき、片手でボタンボードを動かせば、もう片方の手で簡単にローラモジュールを取り外すことができ、ローラが摩耗したときは、ローラモジュールを容易に交換することができる。
【０００７】
有利な実施形態において、前記取り外し可能なローラ装置は、取り外し可能な全方向ローラ装置を構成する。そのうちローラフレームは、縦軸の周りを自由に回転することができる。ローラ装置の全方向性、すなわちローラフレームが縦軸の周りを自由に回転することができるのは、複数の異なる方式によって実現することができ、既存技術も公知されている。例えば、ローラフレームは、前記軸によって確定される縦軸の周りを自由に回転することができ、特に前記縦軸は基本的にローラ軸に垂直な軸である。有利な構造において、凸台および前記軸は非回転接続され、ローラフレームが前記軸の周りを回転する。別の選択的な構造では、ローラフレームおよび前記軸は非回転接続され、前記軸が貫通孔中で自由に回転することができる。そのほか、ローラフレームは縦軸の周りで回転が制限される、または非回転性であることを考慮してもよい。
【０００８】
有利な実施形態において、軸はその挿入方向に沿って見ると、上端留め部の後部に位置する中間留め部を有し、さらに上端留め部および中間留め部の間の距離は、ボタンボードの厚さと同じである。したがって、取付状態のとき、ボタンボードは上端留め部および中間留め部の間に嵌入され、さらに上端留め部および中間留め部との作用は、特に確かな軸方向の固定に有利である。
【０００９】
有利な実施形態において、軸に周囲を取り囲む溝が構成される。この溝の上下２つの溝壁は、それぞれ上端留め部および中間留め部を構成する。さらにボタンボードは、溝の形状と適合する弧状溝を有する。
【００１０】
有利な実施形態において、ローラ台はその底部に凹部を有する。ローラモジュールの凸台およびこの凹部は互いに補い合う形状を有し、取付状態のとき、相互に密着する。
【００１１】
有利な実施形態において、ローラモジュールの凸台およびローラ台の凹部は平面型の接着表面を有し、さらに非円形の輪郭を有する。この実施形態において、特に確かな軸方向の位置付けを実現するだけでなく、凸台の非回転固定、および比較的小さな構造を実現した。
【００１２】
有利な実施形態において、バネは誘導部の方向に沿って配置される。バネの一端はボタンボード、特にボタンボードの突起に固定され、バネのもう一端はローラ台上の突起またはくぼみを好適に構成する、バネ固定装置に固定される。
【００１３】
有利な実施形態において、ボタン貫通孔にボタン外部部品が設けられる。ボタン外部部品はボタンアームと接続するか、または一体を構成する。ボタン外部部品を操作することにより、ボタンボードを誘導部に沿って移動させることができ、ボタン外部部品によって、ボタンボードを操作しやすくすることができる。
【００１４】
有利な実施形態において、ローラ台は上表面に取り外し可能な、特にネジ接続された外郭カバーを有し、ローラ台内の部品を覆うのに使用される。取り外し可能な外郭カバーは、ローラ台内の部品、特にバネの維持に有利である。例えば、バネが効力を失ったり、ローラ台内に異物が混入したりしたとき、外郭カバーを開くことにより、バネの交換または異物の除去を行うことができ、ローラ台の故障を防止する。したがって、ローラ装置全体の故障を防止する。
【００１５】
有利な実施形態において、ローラ台およびスーツケースは取り外し可能に接続され、特にネジ接続される。
【００１６】
本発明の目的は、可動式スーツケースによっても達成される。前記可動式スーツケースは、本発明の取り外し可能なローラ装置を有する。そのうちローラ台はスーツケースに取り付けられ、特にスーツケースにネジ接続される。
【００１７】
有利な実施形態において、スーツケース底部の両側に、取り外し可能なローラ装置がそれぞれ設置される。
【図面の簡単な説明】
【００１８】
【図１】図１は、本発明の取り外し可能なローラ装置における、立体構造の概要図である。
【図２】図２は、本発明の取り外し可能なローラ装置における、ローラ台の構造概要図である。
【図３】図３は、本発明の取り外し可能なローラ装置における、ローラモジュールの構造概要図である。
【図４】図４は、本発明の取り外し可能なローラ装置を、部分的に分解した構造概要図である。
【図５】図５は、本発明の可動式スーツケースの構造概要図である。
【発明を実施するための形態】
【実施例】
【００１９】
以下に、図および実施例を組み合わせて、本発明についてさらに説明を行う。図で示す実施例において、本発明のローラ装置は、取り外し可能な全方向キャスタ装置を構成する。スーツケース本体の２つの角に、キャスタ装置であるローラ装置がそれぞれ取り付けられる。同様に、スーツケース本体のその他の部位に、本発明の取り外し可能なローラ装置を取り付けると仮定してもよい。
【００２０】
図に示すように、この種の取り外し可能な全方向キャスタ装置は、主にローラ台１（ここではキャスタ台である）を含む。キャスタ台１は、ボルト１−５によってスーツケース本体と接続固定される。キャスタ台１の下部にローラ３を有し、キャスタ台１およびローラ３の間は、接続装置２によって接続される。キャスタ台１の上表面に外郭カバー１−６を有し、外郭カバー１−６は弓形で、内部バネ２−２の運動に都合がよい。外郭カバー１−６は、ネジ１−７およびネジ穴１−８により、キャスタ台１に固定接続される。キャスタ台は貫通孔１−１を有し、キャスタ台１の側面にボタン貫通孔１−３を有し、ボタン貫通孔１−３内にボタン外部部品１−４を有する。接続装置２上に凸台２−５を有し、接続装置２内に回転ヘッド装置２−６を有する。回転ヘッド装置２−６は、貫通孔１−１および凸台２−５を通過する。回転ヘッド装置２−６は軸２−８を有し、軸２−８は上端留め部２−９および中間留め部２−７を有する。軸２−８の底部に円盤２−４を有する。軸２−８は、回転ヘッド装置２−６とローラ３を接続する。中間留め部２−７は凸台２−５の上側に位置する。ボタンボード２−１０はキャスタ台１において、貫通孔１−１に対して横向きになった誘導部に、移動可能に設置される。この誘導部は特に直線ガイドを構成する。ボタンボード２−１０は、垂直方向に沿って上端留め部２−９および中間留め部２−７の間に位置する。ボタンボード２−１０は弧状溝２−１を有し、弧状溝２−１は回転ヘッド装置２−６と互いに嵌合する。ボタンボード２−１０にバネ２−２が接続され、バネ２−２の一端はボタンボード２−１０に固定され、もう一端はキャスタ台１のバネ固定装置１−２に固定される。ボタンボード２−１０はボタンアーム２−３を有し、ボタンアーム２−３は、ボタン外部部品１−４と接続する。ボタン外部部品１−４は、操作に都合がよい設計である。
【００２１】
本発明のローラ装置は、大部分がプラスチックを用いて製造される。そのうちボタンボード２−１０、ボタン外部部品１−４および軸２−８は、特にステンレスまたは防錆層の金属を有するめっき、またはその他耐腐食性の金属で製造される。
【００２２】
軸２−８および貫通孔１−１は、任意の適当な横断面形状、例えば円形または四角形の横断面を有してもよい。有利なのは、軸２−８および貫通孔１−１の外形構造が互いに嵌合する必要がある。この軸２−８および貫通孔１−１の嵌合によって、軸を貫通孔内で径方向に位置付けるのを実現することができる。軸２−８および貫通孔１−１の非円形の横断面も、軸を貫通孔内で非回転固定するのを実現することができる。
【００２３】
図５に示すように、本発明で述べる取り外し可能なキャスタ装置を、可動式スーツケースに使用する。可動式スーツケースの本体４底部の両側に、上述したようなキャスタ台１を取り付ける。
【００２４】
ローラモジュール（図で示す実施例では、キャスタモジュールである）を取り外すとき、手で水平方向にボタン外部部品１−４を動かす。ボタン外部部品は、ボタンアーム２−３と適合して接続しているため、ボタンボード２−１０と接続したバネ２−２を収縮させる。したがって、ボタンボード２−１０の弧状溝２−１は回転ヘッド装置２−６との堅固な固定作用を失う。このとき、もう片方の手でローラ３を下に引くと、ローラモジュールをスーツケースから簡単に取り外すことができる。ローラモジュールを取り付ける必要があるときは、片手でローラモジュールを持ち、キャスタ台１の貫通孔１−１に正確に合わせて上に向かって通し、もう片方の手でボタン外部部品１−４を動かす。ローラモジュールを位置に固定した後、ボタン外部部品１−４を放すと、ローラモジュールはキャスタ台１に取り付けられる。
【００２５】
取り外し可能な構造が使用過程で都合がよいのは、ローラモジュールを随意に取り付けるかまたは取り外しする必要がある場合である。ローラが摩耗したとき、取り外して交換するのに都合がよく、スーツケース本体およびその他の部品の継続使用を妨げない。
【００２６】
上述した実施例以外に、同様の交換または同等の変換を採用して構成される技術提案は、すべて本発明が要求する保護範囲にある。例えば図で示す実施例と異なるのは、この実施例では、ボタンボード２−１０および外郭カバー１−６などの部品は、ローラ台１の上側に設置されるが、同様にこれらをローラ台１の下側に設置することを考慮してもよい。こうした状況では、ローラ台の上側は密封されており、下側に誘導部およびボタンボード２−１０が設置される。外郭カバー１−６は下に向いており、主にローラ台１を密封する。外郭カバー１−６は貫通孔１−１を呼応して有し、さらに取付状態のとき、凸台２−５と直接密着する。さらに、例えば外郭カバー１−６の底部に、凸台２−５の輪郭に対応した凹部を設ける。そのほか、誘導部はローラ台の基体に設置されず、外郭カバーに設置される。これも、同様に同列の措置の範囲に属する。
【符号の説明】
【００２７】
１  キャスタ台
１−１  貫通孔
１−２  バネ固定装置
１−３  ボタン貫通孔
１−４  ボタン外部部品
１−５  ボルト
１−６  外郭カバー
１−７  ネジ
１−８  ネジ穴
２  接続装置
２−１  弧状溝
２−２  バネ
２−３  ボタンアーム
２−４  円盤
２−５  凸台
２−６  回転ヘッド装置
２−７  中間留め部
２−８  軸
２−９  上端留め部
２−１０  ボタンボード
３  ローラ
４  スーツケース本体
【図１】
0005532362.tif 000002
【図２】
0005532362.tif 000003
【図３】
0005532362.tif 000004
【図４】
0005532362.tif 000005
【図５】
0005532362.tif 000006